(57)【要約】  １つの支持体（４）上に配置された中央の石（２）と複数の周辺の石（３）から成る宝飾品（１）。前記支持体（４）は、第１の環よりも小さい直径と大きい高さを有する第２の環（６）と一体化され同心である第１の環（５）を有する。第２の環（６）は、中央の石（２）のパビリオン（１０）の周囲全体にある縦方向アンダーカット（９）の中に押込まれるようになっている一方の辺と各々の周辺の石（３）の縁部に近いファセットの１つの上にあるアンダーカット（１１）の中に押込まれるもう一方の辺を有するその上縁部上のＴ字形肩部（８）を有している。これらの周辺の石は、第１の環（５）の内周上に作られた１つの溝（１２）によりその位置にしっかりと維持されている。
2007502199.tif 000002
【特許請求の範囲】
【請求項１】
中央の石（２）と複数の周辺の石（３）から成る宝飾品（１）において、前記石が、第１の環よりも小さい直径と大きい高さを有する第２の環と一体化され同心である第１の環（５）を有する支持体（４）上に配置され、前記第２の環（６）が、前記中央の石（２）のパビリオン（１０）の全周にある縦方向アンダーカット（９）の中に押込まれるようになっている一方の辺と各々の周辺の石（３）上にあるアンダーカット（１１）の中に押込まれるもう一方の辺を有するその上縁部上のＴ字形肩部（８）を有しており、各々の周辺の石が同様に、前記第２の環（６）の前記内周上に作られた１つの溝（１２）によりその位置にしっかりと維持されていることを特徴とする宝飾品（１）。
【請求項２】
前記周辺の石（３）の前記テーブル（１３）及び八角形の前記中央の石（２）の前記クラウン（４）のファセット（１３）が同一の入射角を有することを特徴とする請求項１に記載の宝飾品（１）。
【請求項３】
前記周辺の石（３）の辺のうちの一辺の縁部の長さが前記中央の石（２）の前記クラウン上にあるファセット（４）のうちの１つの縁部の長さと同一であることを特徴とする請求項１又は２に記載の宝飾品。
【請求項４】
前記中央の石（２）が、８個の台形石がまわりに配置される八角形の石であることを特徴とする請求項１〜３のいずれか一項に記載の宝飾品。
【請求項５】
指輪、ペンダント、イヤリング、ネックレスの形をした請求項１〜４のいずれか一項に記載の宝飾品。
【請求項６】
請求項１〜５のいずれか一項に記載の宝飾品を有する装飾品。
【発明の詳細な説明】
【技術分野】
【０００１】
本発明は、宝飾品の分野、より詳細には、複数の宝石の組立てを可能にする不可視固定システムを含む宝飾品に関する。
【０００２】
この不可視固定システムは、複数の宝石の特別な配置により、テーブル側から見た場合に大きいサイズの単一の宝石にしか見えないような錯覚を与える美的様相を作り出すことを可能にする。
【０００３】
不可視嵌合は、宝飾品の分野では周知でかつ広く用いられている。宝石の不可視嵌合の複数のプロセスがすでに、技術的現状の一部を成している。
【０００４】
この報告の理解を容易にするため、図７は、中でも本報告の以下の部分で利用されている通常の用語の表示と合わせて、宝石を表わしている。
【０００５】
文書米国特許第６，１１２，５５２号明細書は、互いに並んで配置された矩形の宝石を受入れるための互いに平行な複数の溝から成る不可視固定システムを提案している。溝の幅は、全ての石が組立てられた時点で固定手段を不可視にするような形で決定された。溝の凹部は、一方では単に圧力を加えることで前記石の組立てを可能にし、かつ他方では宝石のパビリオン内にカットされた縦方向アンダーカット内で肩部により加えられた圧力によりこれらの石をその場所に維持することを可能にするべく、一定の弾性と肩部を有している。この装置を通常、レール式嵌合枠と呼ぶ。
【０００６】
文書仏特許第２６２７３５９号明細書は、一方では２個に１個の石しか凹型仕上げ（凹型仕上げというのは、パビリオン内にカットすべき縦方向アンダーカットを指す専門用語である）を行わず、そして他方では、宝石のテーブル側のアンダーカットの出現を低減させる、という利点を呈する不可視嵌合を提案している。凹型仕上げされた石は、その収納部内に凹型仕上げされていない石を維持する。この装置は、石のテーブル側のアンダーカットを削除することではなくそれを緩和することのみを可能にする。
【０００７】
文書米国特許第５，６４９，４３４号明細書の方は、「ブリリアントカット」形の唯一のダイヤモンドのための不可視嵌合を提案している。このダイヤモンドは、ガードル面のすぐ下で互いに１８０°を成してダイヤモンドのパビリオン上に位置づけされた２つの平坦な表面を有する。これら２つの表面の各々は、支持体として役立つシリンダの縁部側の内径上に位置づけされた肩部が中に押込まれる縦方向アンダーカットを有している。このシリンダの外径は、ダイヤモンドを観察した場合に部分的に隠され得るような形でガードル面の直径に対応している。
【０００８】
技術的現状の中で記載された全ての装置は、宝石を互いに対し並行に配置することを可能にし、かくして得られる幾何形状を矩形又は正方形のみに制限している。一方、これらの装置は、支持体を隠してはいるものの、宝石が互いに組立てられた時点でそのテーブル側アンダーカットの出現を削除しない。文書米国特許第５，６４９，４３４号明細書といったような丸い幾何形状を目的とした不可視嵌合は、唯一の石しか有していない。
【発明の開示】
【発明が解決しようとする課題】
【０００９】
本発明の目的は、宝石のテーブル側のアンダーカットを完全に削除するような形で予め定められた形状の複数の宝石を中央の宝石のまわりに組立てできるという特異性を有する不思議な又は不可視の嵌合システムを提案することにある。こうして、この宝石をテーブル側で観察した場合に大きな寸法の唯一宝石にしか見えないという錯覚を与える美的様相を作り出すことが可能になる。
【課題を解決するための手段】
【００１０】
本発明によれば、この目的は、１つの特殊な支持体上で中央の石とこの石のまわりに配置された複数の周辺の石から成る宝飾品によって達成される。この支持体は、第１の環よりも小さい直径と大きい高さを有する第２の環と一体化され同心である第１の環を有する。前記環は、例えば規則的な間隔で第１及び第２の環のベース間に配置された複数の一点に集まる分岐によって一体化されている。第２の環は、中央の石のパビリオンの周囲全体にある縦方向アンダーカットの中に押込まれるようになっている一方の辺と、周辺の石のファセットの１つの上にあるアンダーカットの中に押込まれるもう一方の辺を有するその上縁部上のＴ字形肩部を有している。これらの周辺の石は同様に、第２の環の内周上に作られた１本の溝によりその位置にしっかりと維持されている。
【発明の効果】
【００１１】
この宝飾品は、技術的現状において記載されたシステムにより通常導入されるアンダーカットが存在しないため、中央の石（２）と周辺の石（３）の間に連続的な輝きを呈するという利点を有する。
【００１２】
かくして、この宝飾品は、原料が著しく軽減されることからはるかに低い原価で、５、１０又は１５カラットといったような異なるサイズの普通の宝石と同じ美的様相を呈する。
【００１３】
本発明のその他の特徴は、特許請求の範囲の中で示されており、以下の記載において明らかとなることであろう。
【発明を実施するための最良の形態】
【００１４】
本発明の一実施形態について、以下で、概略的図を参照しながら、制限的意味をもたない一例として記載する。
【００１５】
本発明のこの実施形態によれば、宝飾品（１）は１個の八角形ダイヤモンド（２）及び８個の小さな台形ダイヤモンド（３）から成る。これらのダイヤモンドは、特殊な支持体（４）により互いに一体化した形で維持される。
【００１６】
前記支持体（４）は、第１の環（５）よりも小さい直径及びこれより大きい高さを有する第２の環（６）と同心的な第１の環（５）で構成されている。２つの環（５，６）は、規則的な間隔で配置された一点に集まる複数の分岐（７）によってそのベースに一体化されている。第２の環（６）はその上縁部上にＴ字形の肩部（８）を有する。肩部（８）の側面の１つは、八角形のダイヤモンド（２）のパビリオン（１０）の周囲全体にある縦方向アンダーカット（９）の中に追い込まれるようになっている。肩部（８）のもう一方の側面は、各々の小さなダイヤモンド（３）の縁部に近いファセットの１つの上にあるアンダーカット（１１）の中に追い込まれる。このダイヤモンドは同様に、第１の環（５）の内周上に作られた１本の溝によりその位置にしっかりと維持されている。支持体（４）によって中央の石（２）の周囲上に各々の小さなダイヤモンド（３）を並列させる配置は、ブリリアントカットダイヤモンドのクラウンを連続する形に再現することを可能にする。
【００１７】
前記８個の小さなダイヤモンド（３）は、それらの辺の１つの縁部の長さが、八角形のダイヤモンド（２）のクラウン上に位置づけされたファセット（１４）の１つの縁部の長さと同一になるような形でカットされた。
【００１８】
第１の環の高さ及び直径は、八角形ダイヤモンド（２）のクラウンのファセット（１４）の１つの入射角に対応する８個の小さなダイヤモンド（３）のテーブル（１３）の入射角を作りだすような形で決定された。
【００１９】
八角形ダイヤモンド（２）のクラウンの前記ファセットの配置は、「ブリリアントカット」のダイヤモンドのベゼル（１５）を再構築するように小さなダイヤモンド（３）のテーブル（１３）の縁部の１つに隣接するような形で実施される。同じ平面上で前記ベゼル（１５）を再構築する２つのファセットの配置により、確実に輝きが持続する。
【００２０】
かくして、この嵌合システムは、このタイプの本物のダイヤモンドの実現に必要な原料の約１０分の１しか利用せずに、上から観察した場合により大きな「ブリリアントカット」のダイヤモンドへと本物の小さいダイヤモンド「１６／１６カット」を加工することを可能にする。
【００２１】
この実施においては、シリンダ（５）の周囲は連続して不透明であり、かくして固定装置を隠し、一方シリンダ（６）は不連続性を呈することができる。
【００２２】
該実施形態は、全く制限的な意味をもたず、従って、上述の実施形態に代わって、ダイヤモンドをその他の任意のタイプの貴石又は半貴石で置換し、さまざまな美的様相を呈する宝飾品を提案できるようにすることも可能である。
【００２３】
宝飾品（１）は、指輪又はペンダント上にとりつけることができる。
【００２４】
本発明は、指輪に限定されず、イヤリング、ネックレス、ブレスレットなどといったあらゆるタイプの宝飾品に適用することができる。
【００２５】
本発明は同様に、本発明の宝飾品を有する装飾品にも関する。  
【図面の簡単な説明】
【００２６】
【図１】宝飾品の斜視図を表わす。
【図２】宝飾品の下面図を表わす。
【図３】宝飾品の上面図を表わす。
【図４】図３のラインＡ−Ｂに沿った宝飾品の断面図を表わす。
【図５ａ】中央の石の上面図を表わす。
【図５ｂ】中央の石の正面図を表わす。
【図６ａ】周辺の石の１つの下面図を表わす。
【図６ｂ】図６ａの正面図を表わす。
【図６ｃ】図６ａの側面図を表わす。
【図７】宝飾品において用いられる通常の用語の表示を伴う普通の宝石を表わす。
【図１】
2007502199.tif 000003
【図２】
2007502199.tif 000004
【図３】
2007502199.tif 000005
【図４】
2007502199.tif 000006
【図５ａ】
2007502199.tif 000007
【図５ｂ】
2007502199.tif 000008
【図６ａ】
2007502199.tif 000009
【図６ｂ】
2007502199.tif 000010
【図６ｃ】
2007502199.tif 000011
【図７】
2007502199.tif 000012
【国際調査報告】
2007502199.tif 000013
2007502199.tif 000014
2007502199.tif 000015
2007502199.tif 000016